【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
締付ボルト（２６）によって工具シャンク（２４）に脱着自在に固定可能な切削インサート（２２）を含む切削工具（２０）であって、
前記工具シャンク（２４）は、長手方向軸（Ａ１）に沿って延在し、その端部（３２）から突出する離間された第１および第２の突起（２８、３０）を有し、
前記第１の突起（２８）は貫通孔（３６）を有し、前記第２の突起（３０）はねじ孔（３８）を有し、前記貫通孔（３６）および前記ねじ孔（３８）は、孔軸（Ａ２）に沿って同軸上に延在し、
前記切削インサート（２２）は、本体部分（４０）と切削部分（４２）とを有し、
前記本体部分（４０）は、切欠軸（Ａ３）に沿って第１の側面（４６）から対向する第２の側面（４８）に延在し、それらの間に延在する底面（５０）に開口する切欠部（４４）を有し、前記切欠部（４４）は、少なくとも１つのアンダーカット（５２）を含み、
前記締付ボルト（２６）は、ボルト軸（Ａ５）に沿ってボルト頭部（６２）から離間して延在するボルトシャンク（６０）を有し、
前記ボルトシャンク（６０）は、前記ボルト頭部（６２）から遠位のねじ部分（６４）と少なくとも１つのボルト係止部分（６６）とを有し、
前記第１および第２の側面（４６、４８）は、前記第１および第２の突起（２８、３０）の間に位置し、前記少なくとも１つのアンダーカット（５２）のそれぞれは、前方向（Ｆ）に対して、少なくとも１つのアンダーカット下部表面（５４）を有し、
前記締付ボルト（２６）は、そのボルト軸（Ａ５）を中心として、
前記ねじ部分（６４）が前記ねじ孔（３８）に螺合し、前記少なくとも１つのボルト係止部分（６６）が、前記少なくとも１つのアンダーカット（５２）のうちの１つの前記少なくとも１つのアンダーカット下部表面（５４）の直接前方に位置する係止位置から、前記ねじ部分（６４）が前記ねじ孔（３８）に螺合したままであり、前記ボルトシャンク（６０）のいずれの部分も、前記少なくとも１つのアンダーカット（５２）のうちのいずれかの前記少なくとも１つのアンダーカット下部表面（５４）の直接前方に位置しない係止解除位置へ、回転できる、
切削工具（２０）。
【請求項２】
前記第１および第２の突起（２８、３０）は、前記端部（３２）から前記前方向（Ｆ）に突出し、
前記長手方向軸（Ａ１）は、前記前方向（Ｆ）と平行である、請求項１に記載の切削工具（２０）。
【請求項３】
前記係止解除位置において、前記切削インサート（２２）は、前記工具シャンク（２４）から前記前方向（Ｆ）に摺動して取り外すことができる、請求項１または２に記載の切削工具（２０）。
【請求項４】
前記第１および第２の突起（２８、３０）は、それぞれ、第１および第２の当接面（７４、７６）を有し、
前記係止位置において、前記第１および第２の当接面（７４、７６）は、前記第１および第２の側面（４６、４８）に対して同時にクランプされる、請求項１〜３のいずれか一項に記載の切削工具（２０）。
【請求項５】
前記少なくとも１つのアンダーカット（５２）の前記少なくとも１つのアンダーカット下部表面（５４）は、前記切欠軸（Ａ３）と実質的に平行である、請求項１〜４のいずれか一項に記載の切削工具（２０）。
【請求項６】
前記少なくとも１つのアンダーカット（５２）の前記少なくとも１つのアンダーカット下部表面（５４）のうちの１つは、前記第１および第２の側面（４６、４８）のいずれか一方と交差しない、請求項１〜５のいずれか一項に記載の切削工具（２０）。
【請求項７】
前記少なくとも１つのアンダーカット（５２）のそれぞれは、前記切欠軸（Ａ３）に沿った前記切削インサート（２２）の２つの側面図のうちの１つのみにおいて視認できる、請求項１〜６のいずれか一項に記載の切削工具（２０）。
【請求項８】
前記切欠部（４４）は、厳密に２つのアンダーカット（５２）を有し、各アンダーカット（５２）は、厳密に２つのアンダーカット下部表面（５４）を有する、請求項１〜７のいずれか一項に記載の切削工具（２０）。
【請求項９】
前記切欠軸（Ａ３）と垂直で、前記少なくとも１つのアンダーカット（５２）のうちの１つと交差する第２の平面（Ｐ２）において取った断面図において、関連する少なくとも１つのアンダーカット下部表面（５４）はそれぞれ、前記切欠軸（Ａ３）内に含まれる中心点（Ｃ）との一定の半径（ｒ）を有する、請求項１〜８のいずれか一項に記載の切削工具（２０）。
【請求項１０】
前記切欠軸（Ａ３）は、前記ボルト軸（Ａ５）と同軸である、請求項１〜９のいずれか一項に記載の切削工具（２０）。
【請求項１１】
前記ボルトシャンク（６０）は、それぞれ、第１および第２の直径（Ｄ１、Ｄ２）を有する実質的に円筒形の第１および第２のシャンク部分（６８、７０）を有し、
前記第１の直径（Ｄ１）は、前記第２の直径（Ｄ２）よりも大きい、請求項１〜１０のいずれか一項に記載の切削工具（２０）。
【請求項１２】
前記少なくとも１つのボルト係止部分（６６）は、前記第１のシャンク部分（６８）にあり、
前記第１のシャンク部分（６８）は、前記ボルト頭部（６２）と前記第２のシャンク部分（７０）との間に位置する、請求項１１に記載の切削工具（２０）。
【請求項１３】
前記切欠軸（Ａ３）と垂直な第３の平面（Ｐ３）で取った断面図において、前記切欠部（４４）は、スロット幅（ＷＳ）を有するスロット形状であり、
前記スロット幅（ＷＳ）は、前記第２の直径（Ｄ２）よりも大きく、前記第１の直径（Ｄ１）よりも小さい、請求項１１または１２に記載の切削工具（２０）。
【請求項１４】
前記第１および第２の側面（４６、４８）は、平面であり、前記前方向（Ｆ）と平行である、請求項１〜１３のいずれか一項に記載の切削工具（２０）。
【請求項１５】
前記切欠軸（Ａ３）は、前記第１および第２の側面（４６、４８）と平行な第１の平面（Ｐ１）と共に鋭角の第１の角度（α）を形成する、請求項１４に記載の切削工具（２０）。
【請求項１６】
前記締付ボルト（２６）は、前記係止位置から前記係止解除位置へ、前記切欠軸（Ａ３）に沿った方向に移動距離（ＤＴ）を移動し、
前記切削インサート（２２）は、前記第１および第２の側面（４６、４８）間のインサート幅（ＷＩ）を有し、
前記移動距離（ＤＴ）は、前記インサート幅（ＷＩ）の５分の１未満である、
請求項１４または１５に記載の切削工具（２０）。
【請求項１７】
本体部分（４０）と切削部分（４２）とを含む切削インサート（２２）であって、
前記本体部分（４０）は、切欠軸（Ａ３）に沿って第１の側面（４６）から対向する第２の側面（４８）に延在し、それらの間に延在する底面（５０）に開口する切欠部（４４）を有し、
前記切欠部（４４）は、少なくとも１つのアンダーカット（５２）を含み、前記少なくとも１つのアンダーカット（５２）は、前方向（Ｆ）に対して、少なくとも１つのアンダーカット下部表面（５４）を有し、
前記切削部分（４２）は、中心軸（Ａ４）に沿って、前記本体部分（４０）の前方に位置し、
前記少なくとも１つのアンダーカット（５２）のそれぞれの前記少なくとも１つのアンダーカット下部表面（５４）のうちの１つは、前記第１および第２の側面（４６、４８）のいずれか一方と交差しない、
切削インサート（２２）。
【請求項１８】
前記少なくとも１つのアンダーカット（５２）のそれぞれの前記少なくとも１つのアンダーカット下部表面（５４）は、前記切欠軸（Ａ３）と実質的に平行である、請求項１７に記載の切削インサート（２２）。
【請求項１９】
前記少なくとも１つのアンダーカット（５２）のそれぞれは、前記切欠軸（Ａ３）に沿った前記切削インサート（２２）の２つの側面図のうちの１つのみにおいて視認できる、請求項１７または１８に記載の切削インサート（２２）。
【請求項２０】
前記第１および第２の側面（４６、４８）は、平面であり、前記前方向（Ｆ）と平行である、請求項１７〜１９のいずれか一項に記載の切削インサート（２２）。
【請求項２１】
前記切欠軸（Ａ３）は、前記第１および第２の側面（４６、４８）と平行な第１の平面（Ｐ１）と共に鋭角の第１の角度（α）を形成する、請求項２０に記載の切削インサート（２２）。
【請求項２２】
前記少なくとも１つのアンダーカット（５２）のそれぞれの前記少なくとも１つのアンダーカット下部表面（５４）は、前記切欠軸（Ａ３）に対するアンダーカット長さ（ＬＵ）を延在し、前記切削インサート（２２）は、前記第１および第２の側面（４６、４８）間のインサート幅（ＷＩ）を有し、
前記アンダーカット長さ（ＬＵ）は、前記インサート幅（ＷＩ）の５分の１未満である、請求項２０または２１に記載の切削インサート（２２）。